(57)【要約】【課題】  筐体及びローダーを薄型にした場合でもローダーへディスクを容易に装着することができる光ディスク再生装置を提供する。【解決手段】  ディスクガイドを軸支し、ローダーの移動に伴って回動し、傾動する前記ディスクガイドを格納する開口部を備えたリングを有し、前記ローダーはローダー開口部を備え、該ローダー開口部に直立し、該ローダー開口部の厚さを越えてディスクを案内する高さを有するように構成され、かつ前記開口部の回動方向の端面に接触して傾動し、更に回動が進むと前記ローダーの下面側に位置し、および前記リングの開口部の端面と前記ローダー開口部の端面に挟まれて直立動作をなすように構成された前記ディスクガイドを備える。【選択図】図３
2006073078.tif 000002
【特許請求の範囲】
【請求項１】
ピックアップ部を搭載しディスクを回転保持するターンテーブルを備えたメカユニットと、ディスクを加圧するクランパと、前記クランパを保持するクランパ保持部と、前記メカユニットを駆動する駆動部と、ディスクを収納する凹部とディスクガイドを備え、かつディスクを所定の再生位置へ移動するローダーと、および前記ローダーを駆動するローダー駆動部とを備える光ディスク再生装置において、
前記ディスクガイドを軸支し、前記ローダーの移動に伴って回動する回動部材を有し、前記ローダーは開口部を備え、該開口部に直立し、該開口部の厚さを越えてディスクを案内する高さを有するように構成され、かつ前記開口部の回動方向の端面に接触して傾動および直立動作をなし、最大に傾動したときには少なくとも前記開口部の厚さ以下に位置するように構成された前記ディスクガイドを備えること
を特徴とする光ディスク再生装置。
【請求項２】
ピックアップ部を搭載しディスクを回転保持するターンテーブルを備えたメカユニットと、ディスクを加圧するクランパと、前記クランパを保持するクランパ保持部と、前記メカユニットを駆動する駆動部と、ディスクを収納する凹部とディスクガイドを備え、かつディスクを所定の再生位置へ移動するローダーと、および前記ローダーを駆動するローダー駆動部とを備える光ディスク再生装置において、
前記ディスクガイドを軸支し、前記ローダーの移動に伴って回動し、傾動する前記ディスクガイドを格納する開口部を備えたリングを有し、前記ローダーはローダー開口部を備え、該ローダー開口部に直立し、該ローダー開口部の厚さを越えてディスクを案内する高さを有するように構成され、かつ前記開口部の回動方向の端面に接触して傾動し、更に回動が進むと前記ローダーの下面側に位置し、および前記リングの開口部の端面と前記ローダー開口部の端面に挟まれて直立動作をなすように構成された前記ディスクガイドを備えること
を特徴とする光ディスク再生装置。
【請求項３】
請求項１または２において、前記ディスクガイドは、前記ローダーの後部側および前部側に少なくともそれぞれ２ヶ所ずつ配設され、後部側に配設されたディスクガイドの高さは、前部側に配設されたディスクガイドの高さよりも高くされたことを特徴とする光ディスク再生装置。
【請求項４】
請求項２において、前記リングを回動方向に引っ張るばねが設けられ、かつ前記リングから突出する突起を収納する長孔を有し、該長孔端面に前記突起を引っかけて前記ばねによる回動方向とは反対方向に前記リングを回動させるリングを設けたことを特徴とする光ディスク再生装置。
【請求項５】
請求項２において、前記リングに円周方向に長孔が設けられ、該長孔によって前記ローダーに設けられた突起が案内されることを特徴とする光ディスク再生装置。
【発明の詳細な説明】
【技術分野】
【０００１】
本発明は、光ディスクを再生する光ディスク再生装置に関する。
【背景技術】
【０００２】
図１１（ａ）及び図１１（ｂ）は、従来の光ディスク再生装置を示す斜視図である。従来の薄型の光ディスク再生装置におけるローダーのディスク収納部の構造は、図１１（ａ）に示すようにディスクを収納する凹部が設けられているだけであったり（例えば、特許文献１参照）、図１１（ｂ）に示すようにディスクを収納する凹部外周位置に、固定式のディスクガイドを数個設けるものであった（例えば、特許文献２参照）。
【０００３】
【特許文献１】特開２００３−７７２６０号公報
【特許文献２】特開２０００−３１１４１０号公報
【発明の開示】
【発明が解決しようとする課題】
【０００４】
図１１（ａ）に示すような構造では、ローダーを薄型にした場合、ディスクをガイドする凹部テーパー部の寸法が大きく取れず、使用者がかなり意識してローダーにデイスクを設置しないと、ディスクが凹部から外れた状態となり、ローダーが引き込む際に、筐体開口部とローダーの間に、ディスクを挟み込み、ディスクに傷をつけてしまうことがある。図１１（ｂ）に示すような構造では、ローダー自体の厚さを薄くしても、ディスクガイドの高さ分、筐体の開口部寸法を広げることになり、デザイン的にローダーの薄さを生かすことができない欠点があった。
【０００５】
本発明は、筐体及びローダーを薄型にした場合でもローダーへディスクを容易に装着することができる光ディスク再生装置を提供することを目的とする。
【課題を解決するための手段】
【０００６】
本発明は、ピックアップ部を搭載しディスクを回転保持するターンテーブルを備えたメカユニットと、ディスクを加圧するクランパと、前記クランパを保持するクランパ保持部と、前記メカユニットを駆動する駆動部と、ディスクを収納する凹部とディスクガイドを備え、かつディスクを所定の再生位置へ移動するローダーと、および前記ローダーを駆動するローダー駆動部とを備える光ディスク再生装置において、前記ディスクガイドを軸支し、前記ローダーの移動に伴って回動する回動部材を有し、前記ローダーは開口部を備え、該開口部に直立し、該開口部の厚さを越えてディスクを案内する高さを有するように構成され、かつ前記開口部の回動方向の端面に接触して傾動および直立動作をなし、最大に傾動したときには少なくとも前記開口部の厚さ以下に位置するように構成された前記ディスクガイドを備える光ディスク再生装置を提供する。
【発明の効果】
【０００７】
本発明の光ディスク再生装置によれば、筐体及びローダーを薄型にした場合でも、ローダーへディスクを容易且つ正確に装着することができる光ディスク再生装置を提供することができる。
【発明を実施するための最良の形態】
【０００８】
本発明の実施例である光ディスク再生装置は、ピックアップ部を搭載しディスクを回転保持するターンテーブルを備えたメカユニットと、ディスクを加圧するクランパと、前記クランパを保持するクランパ保持部と、前記メカユニットを駆動する駆動部と、ディスクを収納する凹部とディスクガイドを備え、かつディスクを所定の再生位置へ移動するローダーと、および前記ローダーを駆動するローダー駆動部とを備える光ディスク再生装置において、前記ディスクガイドを軸支し、前記ローダーの移動に伴って回動し、傾動する前記ディスクガイドを格納する開口部を備えたリングを有し、前記ローダーはローダー開口部を備え、該ローダー開口部に直立し、該ローダー開口部の厚さを越えてディスクを案内する高さを有するように構成され、かつ前記開口部の回動方向の端面に接触して傾動し、更に回動が進むと前記ローダーの下面側に位置し、および前記リングの開口部の端面と前記ローダー開口部の端面に挟まれて直立動作をなすように構成された前記ディスクガイドを備える。
【０００９】
また、光ディスク再生装置は、前記ディスクガイドは、前記ローダーの後部側および前部側に少なくともそれぞれ２ヶ所ずつ配設され、後部側に配設されたディスクガイドの高さは、前部側に配設されたディスクガイドの高さよりも高くされたことを特徴とする。
【００１０】
また、光ディスク再生装置は、前記リングを回動方向に引っ張るばねが設けられ、かつ前記リングから突出する突起を収納する長孔を有し、該長孔端面に前記突起を引っかけて前記ばねによる回動方向とは反対方向に前記リングを回動させるリングを設けたことを特徴とする。
【００１１】
また、光ディスク再生装置は、前記リングに円周方向に長孔が設けられ、該長孔によって前記ローダーに設けられた突起が案内されることを特徴とする。
【実施例】
【００１２】
以下、本発明の実施例を図面に基づいて説明する。
【００１３】
図１は本実施例の光ディスク再生装置１００におけるローダーを前方へスライドした状態の光ディスク再生装置の斜視図、図２はその断面図、図３は図１の裏面図、図４は図１の状態から、ローダー１を後方へ若干量引き込んだ状態を示す実施例、図５は図４の裏面図、図６はこの状態におけるディスクガイドの作動を示す拡大図（ローダーを消去した状態）、図７，図８は図１，図３と同じものであるが、説明上、再度記載したものであり、図９は、この状態におけるディスクガイドの作動を示す拡大図である。
【００１４】
本実施例の光ディスク再生装置１００は、前面に開口部１０が形成された筐体２を備える。筐体２の内部には、ベース４が固定されており、このベース４は、ローダー１及びディスク再生部６を備える。
【００１５】
ディスク再生部６は、ターンテーブル７，スピンドルモータ８，ピックアップ部９、図示しないクランパ，ピックアップ駆動部，再生駆動部，ローダ駆動部，クランパ駆動部及び制御部により構成されている。
【００１６】
ローダー駆動部は、制御部の制御によりローダー１を前後方向へスライドする。再生駆動部は、スピンドルモータ８及びピックアップ駆動部を固定し、制御部の制御により垂直方向へ駆動する。クランパ駆動部は、制御部の制御によりクランパを垂直方向へ駆動する。ターンテーブル７及びクランパは、再生駆動部及びクランパ駆動部の駆動によって筐体２の内部に搬送されたディスク５を挟持する。ターンテーブル７は、スピンドルモータ８が回転することによってディスク５を回転させる。ピックアップ部９は、ピックアップ駆動部によりディスク５の径方向へスライドし、ディスク５に記録されているデータを読み取る。ピックアップ部９によって読み取られたデータは図示しないデータ再生回路によって再生される。
【００１７】
光ディスク再生装置１００は、ローダー１，ディスクガイド２６（左右に１個づつ），ディスクガイド２７（左右に１個づつ），リング２０，リンク５０及びばね５６を備える。ローダー１は、図１（ａ）に示すようにディスク５を収納する上面に凹部１１を備え、この凹部１１の外周には、上下に貫通し四角形を形成する２つのローダー開口部２１（左右に１個づつ）と２つのローダー開口部（開口部）２２（左右に１個づつ）を備える。ローダー開口部２１は凹部１１の前部に配設され、ローダー開口部２２は凹部１１の後部に配設される。それぞれのローダー開口部２１，２２は、凹部１１の外周に等間隔にそれぞれ２個ずつ配設されている。リング２０は、回動部材であり、薄い平板のリング状を成す。リング２０には、上下に貫通し四角形を形成する２つのリング開口部５９（左右に１個づつ）と２つのリング開口部６０（左右に１個づつ）を備える。それぞれのリング開口部５９は、ローダー１のローダー開口部２１と対応する位置に配設され、それぞれのリング開口部６０は、ローダー開口部２２と対応する位置に配設される。ディスクガイド２６（左右に１個づつ）及びディスクガイド２７（左右に１個づつ）は、平板から成り、一側面にそれぞれ垂直部３５，傾斜部３６及び垂直部４５，傾斜部４６を備え、下部にはそれぞれ軸３７（３７Ａ，３７Ｂ）及び軸４７（４７Ａ，４７Ｂ）を備える。リング２０は、リング開口部５９（左右に１個づつ）及びリング開口部６０（左右に１個づつ）に近接した位置にそれぞれ軸受け３８，４８を備え、ディスクガイド２６の軸３７及びディスクガイド２７の軸４７を軸支する。図１（ｃ），図１（ｂ）は図１（ａ）のディスクガイド２６およびディスクガイド２７の拡大図である。それぞれのディスク２６及びディスクガイド２７は、傾斜部３６及び傾斜部４６が凹部１１の中央方向となるよう形成される。図１に示すように、ディスクガイド２７の上端から軸４７までの高さ（長さ）Ｈ２は、ディスクガイド２６の上端から軸３７までの高さ（長さ）Ｈ１より高い（長い）。ディスクガイド２６は、ローダー１の前部に備えるローダー開口部２１に近接した軸受け３８に軸支され、ディスクガイド２７は、ローダー１の後部に備えるローダー開口部２２に近接した軸受け４８に軸支される。このように、ディスクガイド２６，２７は、リング２０に設けた軸受け３８，４８に、回転保持されている。
【００１８】
図１において、上述のように、ローダー１は、ベース４に摺動可能な状態で取り付けられている。
【００１９】
図３において、リング２０は、ローダー１の下面に備える突起６４（左右に１個づつ）に回転可能に支持され、長孔６３（左右に１個づつ）内を案内される。また、リング２０は、外周に突起（凸部）５８を備え、この突起５８はローダー１に備える凸部５７にばね５６にて連結され、図３に示すように矢印イの方向に常々ばね力が作用するようになっている。リンク５０は平板から成り、一端に長孔５２を備え他端に凸部５１を備える。リング２０とリンク５０は、リング２０の下面に備える突起５４が長孔５２へ挿入されてリンク５０は、矢印ロの方向に摺動可能な構造となっている。
【００２０】
光ディスク再生装置１００の動作に関し、図４〜図９を用いて説明する。図４は、ローダー１が、前方へスライド可能な最大の位置から、後方へ若干量引き込んだ位置における状態を示したものである。この時、図５に示すように、リンク５０の凸部５１は、ベース４に備える突起５３にまだ接していないので、リング２０は、ばね５６の弾性により図５に示すように、時計回り方向に回動している。この時、図６に示すようにディスクガイド２０及びディスクガイド２７は、側面がローダー１のローダー開口部２１，２２、端面であるエッジ２３と接して倒れ、ローダー開口部２１，２２の厚さ以下に位置し、更にローダー１の上面１３より下方に位置（下面位置）する状態となる。このように、ディスクガイド２６、２７は最大に傾動したときには少なくともローダー開口部２１，２２の厚さ以下に位置することになる。ディスクガイド２６，２７が、エッジ２３に接している時、ディスクガイド２６，２７の側面は図６に示すように、リング２０のリング開口部５９，６０、エッジ２８に保持される為、これ以上傾きが大きくなることはない。
【００２１】
次に、ローダー１が、図４〜図６の状態から前方へスライド可能な最大の位置へスライドした状態を、図７〜図９を用いて説明する。図８は、図７のＡ部もしくはＢ部の詳細を示し、ディスクガイド２６又は２７の作動を示している。ローダー１が、前方の最大位置へスライドする直前、リンク５０の凸部５１が、ベース４の突起５３に接する。更にローダー１が前方へ進行すると、図９に示すように、リンク５０の凸部５１が突起５３に当接し、リンク５０が矢印ニの方向に突起５４を引き込み、リング２０を矢印ハ方向（イ方向とは反対方向）に回転させる。更に、前方の最終位置までローダー１がスライドすると、図８に示すように、ディスクガイド２６は、ローダー１のローダー１開口部２１，２２、エッジ２４と、リング２０のリング開口部５９，６０のエッジ２９に挟み込まれ、直立した状態となる。最終位置でローダー１が停止している場合、ディスクガイド２６の直立した状態は、保持される。前方の最終位置からローダー１が後方へ引き込む際には前述した説明の逆の手順でディスクガイド２６，２７が、ローダー１の上面１３より下に倒れ込み、ローダー１の上面１３より下の位置（下面位置）に格納される。
【００２２】
本実施例の光ディスク再生装置１００は、ローダー１の位置に連動して円周方向にディスクガイド２６，２７が直立または傾けるので、
１）ローダー１が薄くても、ディスク５を容易にローダー１へ装着するのに必要な高さのディスクガイド２６，２７を設けることが可能となる。
２）筐体２の内部にローダー１がスライドした場合はディスクガイド２６、２７が軸受け３８、４８を軸にして傾き（倒れ）、ローダー１の上面１３より下の位置となるので、デザイン的にローダーの薄さを生かすことができる。
【００２３】
また、図２に示すように、ディスクガイド２７の上端から軸４７までの高さ（長さ）がディスクガイド２６の上端から軸３７までの高さ（長さ）より高い（長さ）ことにより、ローダー１が前方へスライドし、ディスクガイド２６及びディスクガイド２７が直立した場合、ローダー１の後部に突出したディスクガイド２７がローダー１の前部に突出したディスクガイド２６より高く突出する。このことにより、ディスク５を平行に保った状態でローダー１の前方からディスク５をローダー１へ装着しようとする場合、ディスク５の前方がローダー１の前部に突出したディスクガイド２６に引っ掛かってしまうことなく、ディスク５を容易にローダー１へ装着することができる。
【図面の簡単な説明】
【００２４】
【図１】ローダー１を前方へスライドした状態の光ディスク再生装置の斜視図である。
【図２】図１のＡ−Ａ断面図である。
【図３】図１の裏面図である。
【図４】図１の状態から、ローダー１が若干量後方へ引き込んだ状態を示す斜視図で            ある。
【図５】図４の裏面図である。
【図６】ディスクガイド２６，２７の作動を示す拡大図である。
【図７】図１と同じ図である。
【図８】ディスクガイド２６，２７の作動を示す拡大図である。
【図９】図３と同じ図である。
【図１０】ディスクガイド２６，２７の作動を示す拡大図である。
【図１１】従来の光ディスク再生装置を示す斜視図である。
【符号の説明】
【００２５】
１…ローダー、２…筐体、４…ベース、５…ディスク、６…ディスク再生部、７…ターンテーブル、８…スピンドルモータ、９…ピックアップ部、１０…開口部、１１…凹部、２１，２２…ローダー開口部、２３，２４…エッジ（端面）、２６，２７…ディスクガイド、２８，２９…エッジ端面、３６，４６…傾斜部、３７，４７…軸、３８，４８…軸受け、５１…凸部、５２…長孔、５３，５４…突起、５６…ばね、５７，５８…突起（凸部）、５９，６０…リング開口部（開口部）、１００…光ディスク再生装置。
【図１】
2006073078.tif 000003
【図２】
2006073078.tif 000004
【図３】
2006073078.tif 000005
【図４】
2006073078.tif 000006
【図５】
2006073078.tif 000007
【図６】
2006073078.tif 000008
【図７】
2006073078.tif 000009
【図８】
2006073078.tif 000010
【図９】
2006073078.tif 000011
【図１０】
2006073078.tif 000012
【図１１】
2006073078.tif 000013